(57)【要約】      （修正有）【課題】簡便に身体をセミ・ファーラー位に支持する傾斜型マットレスを提供する。【解決手段】傾斜型マットレスは、セミ・ファーラー位に身体を支持するためのマットレスであって、頭部支持部２と、頭部支持部と結合部１０により回転可能に結合された腰部支持部３とを備え、頭部支持部と腰部支持部における身体支持面は、頭部支持部から腰部支持部に向かって下り傾斜を成し、下り傾斜の水平面と成す角度Ｔはセミ・ファーラー角であることを特徴とする。【選択図】図１
0003198937.tif 000002
【実用新案登録請求の範囲】
【請求項１】
セミ・ファーラー位に身体を支持するためのマットレスであって、
頭部支持部と、
当該頭部支持部と結合部により回転可能に結合された腰部支持部と、
を備え、
上記頭部支持部と上記腰部支持部における身体支持面は、上記頭部支持部から上記腰部支持部に向かって下り傾斜を成し、
当該下り傾斜の水平面と成す角度はセミ・ファーラー角である
ことを特徴とする傾斜型マットレス。
【請求項２】
上記結合部は身体支持面側に設けられた
ことを特徴とする請求項１に記載の傾斜型マットレス。
【請求項３】
セミ・ファーラー位に身体を支持するためのマットレスであって、
頭部支持部と、
当該頭部支持部と第１の結合部により回転可能に結合された腰部支持部と、
当該腰部支持部と第２の結合部により回転可能に結合された足部支持部と、
を備え、
上記頭部支持部と上記腰部支持部における身体支持面は、上記頭部支持部から上記腰部支持部に向かって下り傾斜を成し、
当該下り傾斜の水平面と成す角度はセミ・ファーラー角である
ことを特徴とする傾斜型マットレス。
【請求項４】
上記第１の結合部は身体支持面側に設けられ、
上記第２の結合部は設置側に設けられた
ことを特徴とする請求項３に記載の傾斜型マットレス。
【請求項５】
表面に凹凸を有するカバーを備えた
ことを特徴とする請求項１から４のいずれかに記載の傾斜型マットレス。
【考案の詳細な説明】
【技術分野】
【０００１】
本考案は、セミ・ファーラー位に身体を支持できるマットレスに関するものである。
【背景技術】
【０００２】
日本人の死因の第３位は肺炎であり、超高齢化社会になり、近年、その数は増加の一途をたどっている。厚生労働省もこれを重く見て、平成２６年度から肺炎球菌ワクチンの接種を奨励し、料金の一部を公費負担としている。肺炎の大半が誤嚥によるものであり、そのひとつのメカニズムとして、サイレント・アスピレーションが知られている。サイレント・アスピレーションとは、不顕性誤嚥のことであり、知らず知らずのうちに気管内に異物が入ってしまい、むせることなく誤嚥を引き起こす状態のことをいう。誤嚥を原因として、肺炎が引き起こされる。サイレント・アスピレーションには二つあり、一つは口から気管内に細菌が流れ込むものと、もう一つは胃酸が胃から食道を通って気管内に流れ込むものがある。前者には、口腔ケアや頭部の前屈が有効であるが、これらは後者には全く無力である。両者とも高齢者に多くみられるが、後者は、壮年層であっても、胃切除者や肥満者はこの状態になることがある。胃切除者や肥満者は、胃から食道への逆流が起こりやすいためである。
【０００３】
睡眠中の胃から気管内へのサイレント・アスピレーションを防止するために、セミ・ファーラー位にて就寝することは有効な手段である。セミ・ファーラー位とは、上半身を約１５°から３０°に起こした姿勢のことであり、睡眠中に胃から食道への逆流、更には気管内への逆流を防止できる。一部の喘息患者や心不全患者にとっても有効な姿勢である。
【０００４】
セミ・ファーラー位を取るために、実際に臨床現場においては、通常は介護用ベッド等の姿勢調整可能なベッドにおけるギャッジアップ機能が用いられている。
【考案の概要】
【考案が解決しようとする課題】
【０００５】
姿勢調整可能なベッドは、患者や介護者の状態によって、背もたれ等の角度を最適に調整できるという利点がある。しかし、これらは、高価であるとともに、広い設置場所が必要であり、必ずしも我が国の住宅事情に適した物とは言えない。
また、サイレント・アスピレーションを引き起こす可能性のある患者は、普段は元気に身体を動かすことが可能であり、姿勢調整可能なベッドといった大掛かりな介護用品は不要である。むしろ、セミ・ファーラー位を取るための簡素な補助具が求められている。
【０００６】
セミ・ファーラー位を取るための別の手段として、枕を用いる方法も考えられるが、睡眠中に頭が枕からずれたり、寝返りを打ちやすくなるといった問題点がある。
【課題を解決するための手段】
【０００７】
本考案の請求項１に係る傾斜型マットレスは、セミ・ファーラー位に身体を支持するためのマットレスであって、頭部支持部と、当該頭部支持部と結合部により回転可能に結合された腰部支持部とを備え、上記頭部支持部と上記腰部支持部における身体支持面は、上記頭部支持部から上記腰部支持部に向かって下り傾斜を成し、当該下り傾斜の水平面と成す角度はセミ・ファーラー角であることを特徴とする。
【０００８】
本考案の請求項２に係る傾斜型マットレスは、上記結合部が身体支持面側に設けられたことを特徴とする。
【０００９】
本考案の請求項３に係る傾斜型マットレスは、セミ・ファーラー位に身体を支持するためのマットレスであって、頭部支持部と、当該頭部支持部と第１の結合部により回転可能に結合された腰部支持部と、当該腰部支持部と第２の結合部により回転可能に結合された足部支持部とを備え、上記頭部支持部と上記腰部支持部における身体支持面は、上記頭部支持部から上記腰部支持部に向かって下り傾斜を成し、当該下り傾斜の水平面と成す角度はセミ・ファーラー角であることを特徴とする。
【００１０】
本考案の請求項４に係る傾斜型マットレスは、上記第１の結合部は身体支持面側に設けられ、上記第２の結合部は設置側に設けられたことを特徴とする。
【００１１】
本考案の請求項５に係る傾斜型マットレスは、表面に凹凸を有するカバーを備えたことを特徴とする。
【考案の効果】
【００１２】
本考案に係る傾斜型マットレスは、以上のように構成されているので、次のような優れた特長を有している。
第一に、極めて簡素な構造であるため、廉価に作製できる。
【００１３】
第二に、広い設置場所を必要とせず、また、畳の上にも布団等と組合せて使用できるため、我が国の住宅事情に適合したものである。特に、災害時においては、心的ストレスや肉体的疲労により症状が悪化するケースも多く、避難所や仮設住宅といったスペースが限られた場所でも使用しやすいことは、災害医療の観点において重要である。
【００１４】
第三に、簡単な動作でコンパクトに収納可能であり、また、収納状態から簡単な動作で使用状態にできる。
本考案は、上記のような優れた特長を有するため、サイレント・アスピレーションを引き起こす可能性のある患者が気軽に使用できるので、肺炎の予防を効果的に実施できる。
【図面の簡単な説明】
【００１５】
【図１】本考案の実施の形態１に係る傾斜型マットレスの側面図である。
【図２】本考案の実施の形態１に係る傾斜型マットレスの使用方法を表す図である。
【図３】本考案の実施の形態１に係る傾斜型マットレスの収納方法を表す図である。
【図４】本考案の実施の形態２に係る傾斜型マットレスの側面図である。
【図５】本考案の実施の形態２に係る傾斜型マットレスの使用方法を表す図である。
【図６】本考案の実施の形態２に係る傾斜型マットレスの収納方法を表す図である。
【考案を実施するための形態】
【００１６】
実施の形態１．
本考案に係る傾斜型マットレスの構成等に関して、以下において、図面を用いて説明する。なお、以下の説明は本考案に関する良好な一例を開示するものであり、本考案が当該実施の形態に限定されるものではない。例えば、本実施の形態において開示する考案品の材料や寸法等は、良好な一例を示すに過ぎず、その他の可能性を否定するものでは無い。
【００１７】
まず、図を用いて、本考案に係る傾斜型マットレスの構成について説明する。
図１は傾斜型マットレスの側面図である。
傾斜型マットレス１は、セミ・ファーラー位に身体を支持するためのマットレスであって、頭部支持部２と、この頭部支持部２と結合部１０により回転可能に結合された腰部支持部３とからなる。
【００１８】
頭部支持部２や腰部支持部３を構成する素材は、通常のマットレスを構成する素材と同様で良い。ただし、表面に凹凸を持つ素材をカバーとして用いることは好ましく、摩擦抵抗を大きくすることにより、身体がずれにくくなるというメリットが生じる。
結合部１０は、頭部支持部２や腰部支持部３の外面を構成する布や皮、合成繊維等で良く、頭部支持部２と腰部支持部３とを互いに紙面に垂直な方向を回転軸として回転できるように連結している。
【００１９】
図１において、頭部支持部２や腰部支持部３の上面は人が横たわる身体支持面であり、下面は床や畳、あるいは布団等に設置する設置面である。結合部１０は、身体支持面側に設けられている。
【００２０】
頭部支持部２や腰部支持部３の幅（図１において、紙面に直交する方向の長さ）は１００ｃｍ程度である。また、全長（（図１において、横方向の長さ）は１４０ｃｍ程度である。
身体支持面は、頭部支持部２から腰部支持部３に向かって下り傾斜を成し、下り傾斜の水平面と成す角度Ｔはセミ・ファーラー角である。すなわち、１５°から３０°である。
【００２１】
次に、図２を用いて、傾斜型マットレス１の使用方法について説明する。
傾斜型マットレス１を敷布団や通常のマットレス４の上に設置する。そして、頭を頭部支持部２に載せ、仰向けに寝る。このようにすることで、簡単に上体をセミ・ファーラー角に支持して睡眠をとることが可能になる。
【００２２】
次に、図３を用いて、傾斜型マットレス１の収納方法について説明する。
使用状態の傾斜型マットレス１において、腰部支持部３を白抜き矢印方向に回転させ（図３（ａ））、頭部支持部２の身体支持面に重ねる（図３（ｂ））。このように、極めて簡単な動作で、傾斜型マットレス１をコンパクトに収納できる。収納時は直方体形状になるので、押し入れ等に省スペースで収納できる。また、部屋において簡易の椅子としても使用できる。
【００２３】
使用する際には、上記で説明した逆の動作により、簡単に収納状態から使用状態にすることができる。
【００２４】
本実施の形態の傾斜型マットレスは上記のように構成されているので、以下の数多くの特長を有する。
まず、極めて簡素な構造であるため、廉価に作製できる。通常のマットレスの素材を使用できるので、量産も容易であり、姿勢調整可能な介護用ベッドに比べて格段に低コストで作製可能である。
【００２５】
また、畳一枚程度の場所で使用できるので、広い設置場所を必要とせず、また、畳の上で布団等と組合せて使用できるため、我が国の住宅事情においても使用しやすい。
【００２６】
さらに、簡単な動作でコンパクトに収納可能であり、また、収納状態から簡単な動作で使用状態にできる。したがって、夜の就寝だけではなく、昼寝等の仮眠においても気軽に使用できる。
また、収納時はコンパクトな直方体形状になるため、押し入れ等に省スペースで収納できる。また、部屋において簡易の椅子としても使用できる。
【００２７】
このように省スペースでの使用および収納が可能であるので、本考案は一般家庭での使用に適したものである。特に、災害時においては、心的ストレスや肉体的疲労により症状が悪化するケースも多く、避難所や仮設住宅といったスペースが限られた場所でも使用しやすいことは、災害医療の観点において重要である。
本考案は、上記のような優れた特長を有するため、サイレント・アスピレーションを引き起こす可能性のある患者が手軽に使用できるので、肺炎の予防を効果的に実施できる。また、一部の喘息患者や心不全患者も同様に手軽に使用できる。
特に、肺炎は我が国における死因の第三位であり、その予防を広く実施できることは予防医療上、大きな意義がある。
【００２８】
実施の形態２．
本実施の形態において開示する傾斜型マットレスは、実施の形態１において説明した傾斜型マットレスに足部支持部をさらに設けたものである。
【００２９】
まず、図を用いて、本実施の形態に係る傾斜型マットレスの構成について説明する。
図４は傾斜型マットレスの側面図である。
傾斜型マットレス５は、セミ・ファーラー位に身体を支持するためのマットレスであって、頭部支持部６、この頭部支持部６と第一の結合部２０により回転可能に結合された腰部支持部７、この腰部支持部７と第２の結合部３０により回転可能に結合された足部支持部８とからなる。
結合部２０は、身体支持面側に設けられ、結合部３０は設置面側に設けられている。
【００３０】
頭部支持部６や腰部支持部７、足部支持部８の幅（図４において、紙面に直交する方向の長さ）は１００ｃｍ程度である。また、全長（（図４において、横方向の長さ）は２１０ｃｍ程度である。
身体支持面は、頭部支持部６から腰部支持部７に向かって下り傾斜を成し、下り傾斜の水平面と成す角度Ｔはセミ・ファーラー角である。すなわち、１５°から３０°である。
【００３１】
次に、図５を用いて、傾斜型マットレス５の使用方法について説明する。
傾斜型マットレス５を床や畳の上に設置する。そして、頭を頭部支持部６に載せ、仰向けに寝る。このようにすることで、簡単に上体をセミ・ファーラー角に支持して睡眠をとることが可能になる。
なお、実施の形態１と同様に、傾斜型マットレス５を敷布団や通常のマットレスの上に設置して使用しても良い。
【００３２】
次に、図６を用いて、傾斜型マットレス５の収納方法について説明する。
使用状態の傾斜型マットレス５において、頭部支持部６を白抜き矢印方向に回転させ（図６（ａ））、腰部支持部７の身体支持面に重ねる（図３（ｂ））。そして、足部支持部８を白抜き矢印方向に回転させ（図６（ｂ））、腰部支持部７の設置面に重ねる（図６（ｃ））。このように、極めて簡単な動作で、傾斜型マットレス５をコンパクトに収納できる。収納時は直方体形状になるので、押し入れ等に省スペースで収納できる。また、部屋において簡易の椅子としても使用できる。
【００３３】
本実施の形態の傾斜型マットレスに関しても、実施の形態１で説明した傾斜型マットレスと同様の多くの優れた特長を有し、サイレント・アスピレーションを引き起こす可能性のある患者や一部の喘息患者、心不全患者が気軽に使用できる。
【符号の説明】
【００３４】
１、５  傾斜型マットレス
２、６  頭部支持部
３、７  腰部支持部
８  足部支持部
１０  結合部
２０  第１の結合部
３０  第２の結合部
【図１】
0003198937.tif 000003
【図２】
0003198937.tif 000004
【図３】
0003198937.tif 000005
【図４】
0003198937.tif 000006
【図５】
0003198937.tif 000007
【図６】
0003198937.tif 000008